(57)【要約】【課題】浴室の外部に入力端子を設け、この入力端子にラジカセ等の音楽祭装置からの音声信号を入力し、浴室内に設けた浴室スピーカでこの音声信号を再生することにより、入浴中に音楽を楽しむことができるようにした浴室用音響装置が知られている。一方、近年浴室でテレビ画像を鑑賞したいという要望が高まり、浴室内の壁面に取り付ける浴室用テレビ装置が多数提案されている。ところが、浴室用テレビ装置と浴室用音響装置との双方を設置すると、例えば浴室用音響装置を作動させる際に、この作動開始操作の他に、浴室用テレビ装置からのテレビ音声を停止させる操作を行わなければならない。【解決手段】外部の音楽再生装置からの音声信号を再生する際には、自動的に浴室用テレビ装置の音声が停止されるようにした。【選択図】  図１
2005323099.tif 000002
【特許請求の範囲】
【請求項１】
スピーカを備え浴室内に設置されたテレビ装置と、浴室に設置され、浴室外に設置された音楽再生装置からの音楽を再生し得る浴室スピーカとを有する浴室用音響装置において、浴室スピーカで音楽の再生を開始する際に、この再生開始に連動してテレビ装置のスピーカによるテレビ音声の再生を禁止する消音手段を設けたことを特徴とする浴室用音響装置。
【請求項２】
上記テレビ装置は、浴室の壁面に取り付けられテレビ画面表示部とスピーカとを備えたモニタ部と、このモニタ部に供給する音声信号を出力するチューナ部とから構成され、音声信号はチューナ部から上記消音手段を介してモニタ部に入力されることを特徴とする請求項１に記載の浴室用音響装置。
【請求項３】
上記消音手段は、テレビ音声を徐々に小さくした後に消音することを特徴とする請求項１または請求項２に記載の浴室用音響装置。
【請求項４】
浴室内に操作部を設け、この操作部を操作することによって浴室スピーカで再生される音楽を、上記テレビ装置のスピーカで同時に再生し得るようにしたことを特徴とする請求項１から請求項３のいずれかに記載の浴室用音響装置。
【発明の詳細な説明】
【技術分野】
【０００１】
本発明は、浴室に取り付けられたテレビ装置のスピーカや、浴室外からの音楽を再生する浴室スピーカの再生を制御する浴室用音響装置に関する。
【背景技術】
【０００２】
入浴中にテレビ画面を鑑賞するため、浴室の壁面に水密構造を備えたテレビ装置を取り付け、あるいは風呂リモコンにテレビ機能を付加したものが多数提案されている。これらテレビ装置やテレビ機能を備えた風呂リモコンは液晶表示部のほかにスピーカを備えており、テレビ音声はこのスピーカによって再生される。
【０００３】
一方、入浴中にＣＤ等に録音された音楽を鑑賞したいという要望がある。このような要望に応えるため、浴室の天井裏にアンプを設置すると共に、浴室に浴室スピーカを設け、浴室スピーカをアンプに接続し、かつ外部からの音楽信号をアンプに入力して、浴室スピーカで音楽を再生するようにしたものが知られている（特許文献１または特許文献２参照）。
【特許文献１】実開平６−５８０５７号公報（図１）
【特許文献２】特許２９２８５８０号公報（第２頁第４欄第２８行）
【発明の開示】
【発明が解決しようとする課題】
【０００４】
上記各特許文献に記載の浴室用音響装置とテレビ装置の双方を浴室に設置した場合、例えばテレビ画面を鑑賞している途中で、この浴室用音響装置を用いて音楽を鑑賞したくなると、テレビの音声はテレビ装置のスピーカから再生され、同時に浴室スピーカから音楽が再生される。すると、２種類の相違する音声や音楽が同時に再生されることになり、双方の音声や音楽共に聞きづらくなる。そのため、テレビ画面を鑑賞中に浴室用音響装置を作動させる際には、浴室用音響装置の作動を開始する操作のほかに、テレビ装置のスピーカからの音声の再生を停止させる操作を行わなければならない煩わしさがある。
【０００５】
そこで本発明は、上記の問題点に鑑み、上記の煩わしさのない浴室用音響装置を提供することを課題とする。
【課題を解決するための手段】
【０００６】
上記課題を解決するために本発明による浴室用音響装置は、スピーカを備え浴室内に設置されたテレビ装置と、浴室に設置され、浴室外に設置された音楽再生装置からの音楽を再生し得る浴室スピーカとを有する浴室用音響装置において、浴室スピーカで音楽の再生を開始する際に、この再生開始に連動してテレビ装置のスピーカによるテレビ音声の再生を禁止する消音手段を設けたことを特徴とする。
【０００７】
テレビを見ている状態で音楽を聴きたくなった場合には、一般的にはそれ以降テレビ音声を聞きたいという要望はない。上記構成では、浴室スピーカでの音楽の再生を開始すると、この再生開始に連動してテレビ音声の再生が禁止されるので、音楽の再生操作のみを行うだけでテレビ音声の消音操作を行う必要がない。
【０００８】
上記テレビ装置は、浴室の壁面に取り付けられテレビ画面表示部とスピーカとを備えたモニタ部と、このモニタ部に供給する音声信号を出力するチューナ部とから構成され、音声信号はチューナ部から上記消音手段を介してモニタ部に入力されるように構成してもよい。
【０００９】
テレビ音声を突然消音すると、アンプからのポップ音が発生する。そこで、ポップ音の発生を防止するため、上記消音手段は、テレビ音声を徐々に小さくした後に消音することが望まれる。
【００１０】
浴室内に操作部を設け、この操作部を操作することによって浴室スピーカで再生される音楽を、上記テレビ装置のスピーカで同時に再生し得るようにしてもよい。
【発明の効果】
【００１１】
以上の説明から明らかなように、本発明は、音楽の再生を開始する際にテレビ音声が再生されていれば、テレビ音声が自動的に消音されるので、音楽を再生させる操作のみを行い、テレビ音声を消音する操作を行わなくてもよい。
【発明を実施するための最良の形態】
【００１２】
図１および図２を参照して、１は浴室である。この浴室１の天井には防水構造の１対の浴室スピーカ１１が設置されている。また浴室１の天井の上面にはコントロールボックス２およびチューナ部３が設置されている。このチューナ部３はテレビ電波を受信して、所望するチャンネルの画像信号Ｖ１およびテレビ音声信号Ｓ２を出力するものである。
【００１３】
画像信号Ｖ１は浴室１の壁面に取り付けられたモニタ部４に送信される。また、テレビ音声信号Ｓ２は上記コントロールボックス２を経由して音声信号Ｓ１としてモニタ部４に送信される。
【００１４】
このモニタ部４には１対のテレビスピーカ４１が設けられており、音声信号Ｓ１を再生するように構成されている。このモニタ部４はチューナ部３に対して通信線を介して接続されており、その通信線を介して制御信号Ｃ１により通信を行っている。例えば、モニタ部４の表面に取り付けられた各種スイッチを操作すると、その操作に対応する制御信号Ｃ１がモニタ部４で生成され、チューナ部３へ送信される。
【００１５】
コントロールボックス２とチューナ部３とは通信線で接続されており、制御信号Ｃ２によって相互通信を行っている。なお、上記浴室スピーカ１１はコントロールボックス２から出力される音声信号Ｓ４を再生する。
【００１６】
浴室１の壁面にはコントローラ６が取り付けられており、このコントローラ６を操作することによって生成される制御信号Ｃ３はコントロールボックス２に入力される。また、浴室の外部には入力ボックス５が取り付けられている。この入力ボックス５には外部の音楽再生装置５１からの音声信号が入力される端子が設けられている。そして、その音楽再生装置５１からの音声信号は、音声信号Ｓ３としてコントロールボックス２に入力される。
【００１７】
図３を参照して、コントロールボックス２には２つのアンプ２２，２３が設けられている。一方のアンプ２２にはチューナ部３からの音声信号Ｓ２が入力され、他方のアンプ２３には外部の音楽再生装置５１からの音声信号Ｓ３が入力される。そして、各アンプ２２，２３の出力がミキサー２４に入力され、適宜モニタ部４および浴室スピーカ１１に選択的に、もしくは双方に出力される。
【００１８】
アンプ２２，２３の作動状態およびミキサー２４からの出力先の切替は制御ユニット２１によって行われる。そしてこの制御ユニット２１にはチューナ部３からの制御信号Ｃ２およびコントローラ６からの制御信号Ｃ３が入力される。
【００１９】
図４を参照して、まず最初にコントローラ６で音声信号の再生モードとしてどのモードが選択されているかを確認する（ＳＴ１）。この再生モードとは、外部からの音声信号Ｓ３を再生する際に、浴室スピーカ１１のみを使用して再生する再生モードか、あるいは浴室スピーカ１１の他にテレビスピーカ４１からも外部からの音声信号Ｓ３を再生する再生モードである。
【００２０】
外部からの音声信号Ｓ３を浴室スピーカ１１のみで再生する再生モードが選択されていれば、ＳＴ２に進みチューナ部３が作動してモニタ部４にテレビ画面が表示されているかをチェックする。テレビが作動している場合にはコントロールボックス２はモニタ部４に対してチューナ部からの音声信号Ｓ２を音声信号Ｓ１として出力する。その結果、モニタ部４のテレビスピーカ４１はテレビ音声を再生する（ＳＴ３）。
【００２１】
テレビの作動状態の如何に関わらず続いて外部からの音声信号Ｓ３が入力されるようにコントローラ６が操作されているかをチェックする（ＳＴ４）。外部からの音声信号Ｓ３を再生する操作がされていなければ、外部からの音声信号Ｓ３の再生が開始されるまで待機する。
【００２２】
外部からの音声信号Ｓ３の再生開始操作がコントローラ６にされると、制御ユニット２１はミキサー２４を制御して音声信号Ｓ１の出力を停止すると共に浴室スピーカ１１へ音声信号Ｓ４を出力する。ただし、この切替の前に制御ユニット２１はアンプ２２を制御してテレビ音声をフェードアウト、すなわち漸次小さくする。このようにテレビ音声をいきなり停止するのではなく漸次小さくすることによりポップ音の発生を防止する（ＳＴ５）。このような操作の結果、外部からの音声信号Ｓ３は音声信号Ｓ４となって浴室スピーカ１１に出力され、浴室スピーカ１１が鳴動する（ＳＴ６）。
【００２３】
最初に戻り、コントローラ６の操作により、外部からの音声信号Ｓ３を浴室スピーカ１１の他にテレビスピーカ４１でも再生するモードが選択されている場合には、ＳＴ７に進む。ＳＴ７からＳＴ９までは上述のＳＴ２からＳＴ４と同様である。外部からの音声信号Ｓ３の再生開始操作がコントローラ６にされると、モニタ部４へ出力している音声信号Ｓ１の内容を、チューナ部３からの音声信号Ｓ２から外部からの音声信号Ｓ３に切り換えるようにミキサー２４を制御する（ＳＴ１０）。また、外部からの音声信号Ｓ３を浴室スピーカ１１への音声信号Ｓ４として出力する。この結果、外部からの音声信号Ｓ３は浴室スピーカ１１の他にテレビスピーカ４１からも再生される。
【００２４】
なお、本発明は上記した形態に限定されるものではなく、本発明の要旨を逸脱しない範囲内において種々の変更を加えてもかまわない。
【図面の簡単な説明】
【００２５】
【図１】本発明の一実施の形態の構成を示す図
【図２】各構成要素の接続状態を示す図
【図３】コントロールボックスの構成を示すブロック図
【図４】制御ユニットによる制御内容を示すフロー図
【符号の説明】
【００２６】
１ 浴室
２ コントロールボックス
３ チューナ部
４ モニタ部
５ 入力ボックス
６ コントローラ
１１ 浴室スピーカ
２１ 制御ユニット
２２ アンプ
２３ アンプ
２４ ミキサー
４１ テレビスピーカ
５１ 音楽再生装置
【図１】
2005323099.tif 000003
【図２】
2005323099.tif 000004
【図３】
2005323099.tif 000005
【図４】
2005323099.tif 000006